(57)【特許請求の範囲】
【請求項１】
帯板材を折曲加工して形成されたコ字形部材のコ字部の寸法を検査するための検査治具であって、
治具本体は、断面視で外側に突出するように屈曲した一対の脚部と、該脚部間を上端で連結させた連結部とを備えた門型棒状体とされ、前記コ字形部材が、前記コ字部における対向した両壁部の内壁面が前記脚部の屈曲部に接するように前記連結部の外面側より外嵌される形状とされており、
前記脚部には、前記治具本体の長手方向に沿って、前記コ字形部材の板幅に対応した一定間隔ごとに目印部が設けられていることを特徴とする検査治具。
【請求項２】
請求項１において、
前記連結部の外面が平面とされていることを特徴とする検査治具。
【請求項３】
請求項１または２において、
前記脚部は、前記屈曲部よりも下方部が下端に向けて相互に近づくように傾斜した形状とされることを特徴とする検査治具。
【発明の詳細な説明】
【技術分野】
【０００１】
本発明は、帯板材を折曲加工して形成されたコ字形部材のコ字部の寸法を検査するための検査治具に関する。
【背景技術】
【０００２】
樋支持具などの建築用物品の多くは複数の部品を連結して製造されており、それらの部品には上記コ字形部材が含まれていることがある（たとえば、特許文献１、２参照）。このコ字形部材のコ字部は矩形の凹底部における対向する１組の両辺縁に壁片が起立した形状となっているため、凹底部に他の部品を嵌合して物品を製造するようなものでは、コ字部を寸法の精度を良くして形成しなくてはならない。つまり、部材間の連結部として用いられるコ字部は許容誤差が概ね小さい。
【０００３】
従来では、このようなコ字形部材のコ字部を検査できる検査治具として、上記壁片間の寸法に合致した幅の棒状体を用いていた。幅寸法の均一な棒状体を用いれば、複数のコ字形部材について、コ字部を棒状体に外嵌して壁片間の寸法（凹底部の幅寸法）を検査することができる。
【先行技術文献】
【特許文献】
【０００４】
【特許文献１】特開２００３−４１７２４号公報
【特許文献２】特開２００４−２３２１９３号公報
【発明の概要】
【発明が解決しようとする課題】
【０００５】
しかしながら、コ字部の検査対象は凹底部の幅寸法だけではない。コ字部の凹底部における他の辺縁間板の寸法（板幅寸法）も検査する必要がある。棒状体を用いれば複数のコ字形部材を板幅方向に並べるため、複数分の概ねの寸法は検査できるが個々の寸法についてのばらつきを確認することはできない。よって従来では、個々に板幅を計測する必要があった。
【０００６】
本発明は、このような事情を考慮して提案されたもので、その目的は、コ字形部材のコ字部の寸法を簡易に、効率よくかつ確実に検査できる検査治具を提供することにある。また、寸法の検査と同時に個数を計数できるようにすることも、本発明の目的とされる。
【課題を解決するための手段】
【０００７】
上記目的を達成するために、請求項１に記載の検査治具は、帯板材を折曲加工して形成されたコ字形部材のコ字部の寸法を検査するための検査治具であって、治具本体は、断面視で外側に突出するように屈曲した一対の脚部と、脚部間を上端で連結させた連結部とを備えた門型棒状体とされ、コ字形部材が、コ字部における対向した両内壁面が脚部の屈曲部に接するように連結部の外面側より外嵌される形状とされており、脚部には、治具本体の長手方向に沿って、コ字形部材の板幅に対応した一定間隔ごとに目印部が設けられていることを特徴とする。
【０００８】
請求項２に記載の検査治具は、連結部の外面が平面とされている。
【０００９】
請求項３に記載の検査治具は、脚部が、屈曲部よりも下方部が下端に向けて相互に近づくように傾斜した形状とされる。
【発明の効果】
【００１０】
請求項１に記載の検査治具によれば、上述の構成となっているため、複数のコ字形部材について、その凹底部の幅寸法と板幅寸法の両方を同時に、しかも同時に複数の部材について検査でき、さらにその個数を計数することもできる。
【００１１】
また、コ字形部材は、コ字部における対向した両内壁面が脚部の屈曲部に接するように連結部の外面側より外嵌される形状となっており、つまり連結部の端部から脚部の屈曲部までの部位がコ字形部材を外嵌するためのガイド部として作用するため、コ字形部材の外嵌を迅速に行うことができる。ようするに、コ字形部材のコ字部の寸法を簡易に、効率よくかつ確実に検査することができる。
【００１２】
請求項２に記載の検査治具によれば、上述の構成となっているため、コ字部の凹底部の面が平面となっているコ字形部材については、連結部の外面とコ字部の平面とが面接触するように嵌合すれば、正しい状態で寸法の検査を行うことができる。
【００１３】
請求項３に記載の検査治具によれば、上述の構成となっているため、コ字形部材を検査治具の脚部の下端方向から外嵌することもしやすく、コ字形部材をいずれの方向からでも外嵌することができ、検査がよりしやすくなる。
【図面の簡単な説明】
【００１４】
【図１】本発明の一実施形態に係る検査治具の説明図である。（ａ）は一部を省略した検査治具の斜視図、（ｂ）（ｃ）は（ａ）のコ字形部材の検査治具への外嵌手順を示した拡大縦断面図である。
【図２】コ字形部材外嵌状態を示す検査治具の拡大正面図である。
【図３】コ字形部材を部品として用いられる建築用物品の例を示した分解斜視図である。
【図４】本発明の他の実施形態に係る検査治具の説明図であり、コ字形部材の検査治具への外嵌手順を示した縦断面図である。
【発明を実施するための形態】
【００１５】
以下に、本発明の実施の形態に係る検査治具について、添付図面を参照して説明する。
【００１６】
図１および図２に表した検査治具１０は、帯板材を折曲加工して形成されたコ字形部材２０のコ字部２１の寸法を検査するための治具である。治具本体は、断面視で外側に突出するように屈曲した一対の脚部１１と、脚部１１間を上端で連結させた連結部１５とを備えた門型棒状体とされ、コ字形部材２０が、コ字部２１における対向した両壁部２３の内壁面が脚部１１の屈曲部１２に接するように連結部１５の外面側より外嵌される形状とされている。また、脚部１１には、治具本体の長手方向に沿って、コ字形部材２０の帯板の板幅寸法Ｗ４に対応した一定間隔ごとに目印部１６が設けられている。
【００１７】
検査対象であるコ字形部材２０としては、図３に表した竪樋支持具１の構成部品である固定部材が挙げられる。このコ字形部材２０は帯板の一端側に、折曲加工してなるコ字部２１を有し、他端側には、コ字部２１とは反対側に起立するように折曲された固定部２５を有している。この竪樋支持具１は、コ字形部材２０の固定部２５が外壁（不図示）にビス止めされ、コ字部２１が竪樋５を抱持、支持する開閉自在な抱持部材３０と結合された状態で、竪樋（不図示）の高さ方向の一部を抱持、支持する構成となっている。
【００１８】
コ字形部材２０のコ字部２１が抱持部材３０に形成した係合部３１に係合し、抱持部材３０が竪樋を抱持した状態では、コ字部２１の凹底部２２は係合部３１と竪樋とに挟まれて固定される。
【００１９】
本検査治具１０は、このようなコ字形部材２０のコ字部２１の寸法、特にコ字部２１の矩形の凹底部２２の４辺縁の寸法、具体的には内壁面間寸法Ｗ２（図１（ｂ）参照）および板幅寸法Ｗ４（図２参照）を検査する治具である。
【００２０】
治具本体は、上述したように門型の棒状体とされ、図１（ｂ）（ｃ）に示すように、コ字形部材２０を外嵌した場合に、しっかりと嵌合した状態となるように、脚部１１間の寸法が定めてある。なお、図１の検査治具１０は、屈曲部１２よりも下方部１４が連結部１５に対して略直角に延びているが、図４で後述するように下方部１４がすぼんでいてもよく、少なくとも屈曲部外面間寸法Ｗ１がコ字形部材２０の壁部２３の内壁面間寸法Ｗ２に合致しており、逆さにしてもコ字形部材２０が落下しないような形状、寸法となっている（図１（ｂ）参照）。
【００２１】
また、図１（ａ）に示すように、治具本体の一方の脚部１１には、長手方向に沿って等間隔に脚部１１の下端から屈曲部１２にいたるまでの同形状、同寸法のスリット１６が形成されている。長手方向の左端１０ａからスリット１６までの寸法、およびスリット間寸法Ｗ３は、検査対象のコ字形部材２０の板幅寸法Ｗ４よりもやや大となっている。
【００２２】
検査治具１０には、コ字形部材２０を図１（ｃ）のように取り付けて、さらに図２のように長手方向に沿って、スリット１６を介して横並びに順次取り付けていく。治具本体の脚部１１における屈曲部１２よりも上方部１３（連結部１５の端部から屈曲部１２まで）が、末広がりに広がったテーパ形状となっているため、その上方部１３が取り付けに際してのガイド部として作用する。そのため、複数のコ字形部材２０の迅速な取り付けができる。
【００２３】
このように検査治具１０に傾斜したガイド部が設けてあれば、コ字形部材２０を外嵌したときに、図１（ｃ）に示したようにコ字部２１の凹底部２２の内側に隙間Ｓができ、がたつくおそれがあるが、本実施形態では、コ字形部材２０の凹底部２２の平面に対応して、検査治具１０の連結部１５の外面が平面に形成されているので、図１（ｃ）のように平面同士が面接触することで、両部材の嵌合にゆがみがないことを確認することができる。なお、図４で後述する他の形状の検査治具１０については特にがたつきが発生しやすいため、平面同士の面接触が両部材の適切な嵌合の有効な確認手段となり得る。
【００２４】
このように検査治具１０に複数のコ字形部材２０を取り付け、検査治具１０を逆さにして落下したものについては、凹底部２２の内壁面間寸法Ｗ２について検査ＮＧとされ、落下しないものについては、凹底部２２の内壁面間寸法Ｗ２について検査ＯＫとされる。
【００２５】
なお、コ字形部材２０の成形許容誤差はその部材の種類等によって種々である。そのため、凹底部２２の幅寸法（内壁面間寸法Ｗ２）についての許容誤差に応じて、脚部１１の弾性の程度を定めてもよい。たとえば、コ字形部材２０の部材の成形許容誤差に応じて屈曲部１２間が縮小する脚部１１の弾性変形の程度を、屈曲部１２の上方部１３（連結部１５の端部から屈曲部１２まで）の長さ寸法により定めるようにしてもよい。
【００２６】
このようなコ字形部材２０の検査のための取り付けは、たとえば図２に示すように、コ字形部材２０は検査治具１０の左側より長手方向の端部（右端）１０ａ、スリット１６の右端１６ａに合わせて取り付けていけばよく、その際に、スリット１６の左側に取り付けたコ字形部材２０でスリット１６の全体が隠された場合および脚部１１の外面の一部が露出した場合には、コ字形部材２０の帯板の板幅寸法Ｗ４について検査ＮＧと判断すればよい。つまり、スリット１６の幅寸法は板幅寸法Ｗ４の許容誤差範囲として用いられる。なお、板幅寸法の許容誤差がほとんどないものについては、幅のあるスリット１６に代えて、切れ込みや目印線などを目印部として設けてもよい。
【００２７】
また、コ字形部材２０の内壁面間寸法Ｗ２が小さい場合には、このコ字形部材２０を検査治具１０に取り付けたときに脚部１１が内方に弾性変形するが、スリット１６が設けてあるため、スリット１６を介した隣の脚部１１の部位が弾性変形する可能性は低く、隣接のコ字形部材２０の検査に悪影響を及ぼすことはほとんどない。よって、たんなる目印線などよりもスリット１６を設けることが望ましい。
【００２８】
また、利便性をよくするために目印部を両方の脚部１１に設けてもよい。特に、隣接部での検査に対する影響を少なくするためには、両方の脚部１１にスリット１６を設けることが望ましい。
【００２９】
また、この検査治具１０によれば、目印部でコ字形部材２０を取り付ける部位が区切ってあるため、取り付けたコ字形部材２０の個数を正しく計数することができる。よって、検査後すぐに梱包を行う場合などにはその個数のカウントを迅速に行える。このように計数をしやすくするために、目印部で区切られた分離脚部の数を梱包個数に対応させるように検査治具１０の長さを定めればよい。たとえば、梱包個数が３０の場合には、検査治具１０に、３０個またはその約数である１０個、１５個などのコ字形部材２０の取り付けが可能となるように、長さ寸法およびスリット１６の数を設定すればよい。
【００３０】
ついで、他の実施形態に係る検査治具について、図４を参照しながら説明する。
【００３１】
この検査治具１０は、図１に示したものとは脚部１１の形状が異なる。この検査治具１０の脚部１１は、図４に示すように、脚部１１における屈曲部１２の下方部１４が下端に向けて相互に近づくように傾斜した形状となっており、つまり脚部１１は屈曲部１２が外側に突出した「く」の字形となっている。したがって、コ字形部材２０を外嵌したときには、脚部１１における屈曲部１２のみがコ字部２１における対向した壁部２３の内壁面に接する。
【００３２】
この検査治具１０によれば、下方部１４がすぼんでいるため、コ字形部材２０を下方部１４側から外嵌した場合でも下方部１４がガイド部として作用して、いずれの方向からも外嵌することができ、使いやすい。たとえば、コ字形部材２０を上下交互に取り付けるようにして、個数をカウントしやすくしてもよい。
【００３３】
また、この検査治具１０は上述したように、コ字形部材２０を外嵌したときにがたつくおそれがあるが、コ字形部材２０の凹底部２２の平面と、検査治具１０の連結部１５の外面との面接触により、寸法検査をするための正しい嵌合を確認することができる。
【符号の説明】
【００３４】
１０          検査治具
１０ａ        端部（長手方向の左端）
１１          脚部
１２          屈曲部
１３          上方部
１４          下方部
１５          連結部
１６          スリット（目印部）
１６ａ        スリットの右端
Ｗ１          屈曲部外面間寸法
Ｗ３          スリット間寸法
２０          コ字形部材
２１          コ字部
２２          凹底部
２３          壁部
２５          固定部
Ｗ２          内壁面間寸法
Ｗ４          板幅寸法
【要約】
【課題】コ字形部材のコ字部の寸法を簡易に、効率よくかつ確実に検査できる検査治具を提供する。
【解決手段】検査治具１０は、断面視で外側に突出するように屈曲した一対の脚部１１と、脚部１１間を上端で連結させた連結部１５とを備えた門型棒状体とされ、コ字形部材２０が、コ字部２１における対向した両壁部２３の内壁面が脚部１１の屈曲部１２に接するように連結部１５の外面側より外嵌される形状とされている。また、脚部１１には、治具本体の長手方向に沿って、コ字形部材２０の帯板の板幅寸法Ｗ４に対応した一定間隔ごとに目印部１６が設けられている。
【選択図】図１【図１】
0006007301.tif 000002
【図２】
0006007301.tif 000003
【図３】
0006007301.tif 000004
【図４】
0006007301.tif 000005